(57)【特許請求の範囲】
【請求項１】
フロアパネル上に締結具により取り付けられてなると共に上部に開口を有する固定レールと、シートクッションに支持されてなり且つ前記固定レールの開口を経て固定レールに対してスライド自在に支持されてなる可動レールと、前記固定レールの開口側に対向した面に支持されてなる異物滑動部材とより少なくとも構成されてなる自動車用シートのスライド装置において、
前記固定レールの前端部及び又は後端部には、該前端部及び又は後端部を覆うレッグカバーが配設されてなり、
該レッグカバーの上端部には、前記締結具の頭部を被覆可能に形成したカバー部材を配し、
前記カバー部材を、前記異物滑動部材の端部まで延伸させて、該カバー部材および異物滑動部材の上を異物がスライドできるようにしたことを特徴とする自動車用シートのスライド装置。
【請求項２】
請求項１に記載の自動車用シートのスライド装置であって、
前記異物滑動部材の端部に段部を配し、該段部には、前記カバー部材の端部を係合可能なる係合部が設けられてなることを特徴とする自動車用シートのスライド装置。
【請求項３】
請求項１又は請求項２に記載の自動車用シートのスライド装置であって、
前記カバー部材は、前記異物滑動部材よりも薄肉状に形成されてなることを特徴とする自動車用シートのスライド装置。
【請求項４】
請求項１乃至請求項３の何れか１項に記載の自動車用シートのスライド装置であって、
前記カバー部材の上面の高さ位置が、前記異物滑動部材の上面の高さと略同一かまたは該上面の高さより低い位置に配されてなることを特徴とする自動車用シートのスライド装置。
【請求項５】
請求項１乃至請求項４の何れか１項に記載の自動車用シートのスライド装置であって、
前記レッグカバーは、前記固定レールに取り付けた支持部に爪により係合支持可能なることを特徴とする自動車用シートのスライド装置。
【発明の詳細な説明】
【０００１】
【発明の属する技術分野】
この発明は、自動車用シートのスライド装置に関するものである。
【０００２】
【従来の技術】
従来の自動車用シートのスライド装置１としては、図７に示すように、フロアパネル２上に配してなると共に前後端部近傍で締結具（ボルト）３により取り付けられてなる固定レール５と、図示しないシートクッションに支持されてなり且つ前記固定レール５の上部に形成されてなる開口４を経て固定レール５に対してスライド自在に摺動部が挿入支持されてなる図示しない可動レールと、該可動レールに対向した固定レール５の開口４側の面５ａに支持されてなる合成樹脂製の異物滑動部材６とより少なくとも構成されてなる。該異物滑動部材６と締結具３との間の寸法７が、煙草に火を付ける図示しないライターの長さ寸法以下になるように、前記異物滑動部材６を締結具３に近接するまで延在している（類似技術として実開平６−６５０６５号公報参照）。
【０００３】
前記異物滑動部材６は、ライターを固定レール５の開口４から固定レール５の内部の前後の締結具３、３間に落とした場合、可動レールによって運ばれたライターが締結具３にぶつかることで、それ以上可動レールがスライドするのを阻止してしまうことになる不具合を未然に防止する機能を有する。つまり、固定レール５の可動レールに対向する面５ａから突出した締結具３の頭部３ａの突出量とほぼ同じ厚さの異物滑動部材６であれば、落下したライターは、締結具３，３間に入り込まず、可動レールのスライド阻止という不具合は確実に防止できる。
【０００４】
【発明が解決しようとする課題】
しかしながら、このような従来の技術にあっては、異物滑動部材６が締結具３に近接するまで延在しているため、固定レールを支持する締結具３の締結作業時に、締結工具が締結具に係合しずらくなるおそれがある。
【０００５】
この発明は、このような従来の技術に着目してなされたものであり、異物を落としても可動レールのスライドの邪魔にならず、しかも、固定レールを支持する締結具の締結作業性を悪化させないことを目的とした自動車用シートのスライド装置を提供するものである。
【０００６】
【課題を解決するための手段】
請求項１に記載の発明は、フロアパネル上に締結具により取り付けられてなると共に上部に開口を有する固定レールと、シートクッションに支持されてなり且つ前記固定レールの開口を経て固定レールに対してスライド自在に支持されてなる可動レールと、前記固定レールの開口側に対向した面に支持されてなる異物滑動部材とより少なくとも構成されてなる自動車用シートのスライド装置において、前記固定レールの前端部及び又は後端部には、該前端部及び又は後端部を覆うレッグカバーが配設されてなり、該レッグカバーの上端部には、前記締結具の頭部を被覆可能に形成したカバー部材を配し、前記カバー部材を、前記異物滑動部材の端部まで延伸させて、該カバー部材および異物滑動部材の上を異物がスライドできるようにした。
【０００７】
請求項２に記載の発明は、請求項１に記載の自動車用シートのスライド装置であって、前記異物滑動部材の端部に段部を配し、該段部には、前記カバー部材の端部を係合可能なる係合部が設けられてなる。
【０００８】
請求項３に記載の発明は、請求項１又は請求項２に記載の自動車用シートのスライド装置であって、前記カバー部材は、前記異物滑動部材よりも薄肉状に形成されてなる。
【０００９】
請求項４に記載の発明は、請求項１乃至請求項３の何れか１項に記載の自動車用シートのスライド装置であって、前記カバー部材の上面の高さ位置が、前記異物滑動部材の上面の高さと略同一かまたは該上面の高さより低い位置に配されてなる。
【００１０】
請求項５に記載の発明は、請求項１乃至請求項４何れか１項に記載の自動車用シートのスライド装置であって、前記レッグカバーは、前記固定レールに取り付けた支持部に爪により係合支持可能なる。
【００１１】
【発明の効果】
請求項１に記載の発明によれば、前記固定レールの前端部及び又は後端部には、該前端部及び又は後端部を覆うレッグカバーが配設されてなり、該レッグカバーの上端部には、前記締結具の頭部と前記異物滑動部材との間に架設されてなるカバー部材を配したので、固定レールの開口を介して異物、例えば筆記用具（ボールペン）、コイン、単３乾電池、ライターなどを落としても、異物はカバー部材上に落ち、可動レールが移動すると、異物はカバー部材上を移動し、可動レールのスライドの邪魔にならない。異物滑動部材は短く形成できるので、ボルトの締結工具が入りづらくなるおそれがない。前記カバー部材は、前記締結具の頭部を被覆可能且つ前記可動レールの開口よりも小さい幅に形成されてなるので、レッグカバーのカバー部材により締結具が見えないことになり、美観向上を図れると共にカバー部材が可動レールのスライドの邪魔にならない位置に保持される。さらに、カバー部材を異物滑動部材の端部まで延伸させて、カバー部材および異物滑動部材の上を異物がスライドできるようにしたことで、異物滑動部材上に異物が落ちても、可動レールに押されてカバー部材上にスムースに移動できる。
【００１２】
請求項２に記載の発明によれば、前記異物滑動部材の端部に段部を配し、該段部には、該カバー部材の端部を係合可能なる係合部が設けられてなるので、カバー部材上又は異物滑動部材上に落ちた異物が両部材の上をスライド可能であるばかりか、両部材が確実に係合されてなる。
【００１３】
請求項３に記載の発明によれば、前記カバー部材は、前記異物滑動部材よりも薄肉状に形成されてなるので、カバー部材の材料が少なくて済み、原価低減を図ることができる。
【００１４】
請求項４に記載の発明によれば、前記カバー部材の上面の高さ位置が、前記異物滑動部材の上面の高さと略同一かまたは該上面の高さより低い位置に配されてなるので、前記異物滑動部材上に異物が落ちた場合、該異物滑動部材上からカバー部材上に異物がスムースに移動できる。
【００１５】
請求項５に記載の発明によれば、前記レッグカバーは、前記固定レールに取り付けた支持部に爪により係合支持可能なるので、レッグカバーの爪を挿入するだけで、固定レールの支持部に簡易に係合できることになる。
【００１６】
【発明の実施の形態】
以下、この発明の好適な実施形態を図面に基づいて説明する。図７と同一部品は、同一符号を用いて説明する。
【００１７】
図１乃至図６は、この発明の一実施形態を示すもので、符号１０は、自動車用シートのスライド装置で、該スライド装置１０は、フロアパネル２上に配してなると共に前後端部近傍で締結具（ボルト）３、３により取り付けられてなる固定レール５と、図示しないシートクッションに支持されてなり且つ前記固定レール５の上部に形成されてなる開口４を経て固定レール５に対してスライド自在に摺動部１１ａが挿入されてなる可動レール１１と、該可動レール１１に対向した固定レール５の開口４側の面５ａに支持されてなる合成樹脂製の異物滑動部材１２と、前記締結具３の頭部３ａ及び前記異物滑動部材１２間に架設されてなるカバー部材１４とより構成されてなる。前記カバー部材１４の上面の高さ位置は、前記異物滑動部材１２の上面の高さと略同一の位置に配されてなるが、前記カバー部材１４の上面の高さ位置は、前記異物滑動部材１２の上面の高さよりも低い位置でも良い。
【００１８】
前記カバー部材１４は、前記固定レール５の前端部５ａ及び又は図示しない後端部から前記締結具３の頭部３ａを経て前記異物滑動部材１２の端部１２ａとの間を埋めるように形成された長尺なもので、前記固定レール５の前端部５ａ及び又は図示しない後端部に配設されてなる合成樹脂製のレッグカバー１３に熱溶着により一体的に形成されている。前記レッグカバー１３には、前記固定レール５の前端部５ａ及び又は図示しない後端部から固定レール５の上下面５ｂを挟むように、前記レッグカバー１３には爪１７ａが，また、前記カバー部材１４には爪１７ｂが各々突設されてなり、該爪１７ａ，１７ｂにより固定レール５に係合固定されてなる。尚、前記レッグカバー１３と前記カバー部材１４とを一体に形成しても良い。
【００１９】
即ち、前記カバー部材１４の左右幅は、前記可動レール１１の開口の幅より狭く形成されてなり、その自由端部には、爪部１４ａが形成されてなり、該爪部１４ａが、前記異物滑動部材１２の端部１２ａに形成されてなる凹部１２ｂに係合支持されてなる。また、カバー部材１４の上面と前記異物滑動部材１２の上面とが同一面状になるように、前記カバー部材１４の自由端部１４ｂの厚さと同じ厚さの段部１２ｃが形成されてなる。符号１４ｃ、１２ｄは、カバー部材１４の自由端部１４ｂ及び段部１２ｃの鋭角を除去した面取り部である。
【００２０】
また、前記レッグカバー１３は、前記固定レール５の前端部５ａ及び又は図示しない後端部の前後端部及び両側を覆うように形成されてなると共に、該固定レール５の途中の両サイドに取り付けた支持部１５に、爪１６、１６により係合されて支持可能なるように形成されている。
【００２１】
次に、この実施形態に係る作動を説明する。
【００２２】
前記固定レール５の前端部５ａ及び又は図示しない後端部には、該前端部５ａ及び又は図示しない後端部を覆うレッグカバー１３が配設されてなり、該レッグカバー１３の上端部には、前記締結具３の頭部３ａと前記異物滑動部材１２との間に架設されてなるカバー部材１４を配したので、固定レール５の開口４を介して異物、例えば筆記用具（ボールペン）、コイン、単３乾電池、ライターなどを落としても、異物は、前記異物滑動部材１２又はカバー部材１４上に落ちる。前記カバー部材１４の上面の高さ位置が、前記異物滑動部材１２の上面の高さと略同一の位置に配されてなるので、可動レール１１が移動することで、該可動レール１１のエンドキャップ１１ｂにより、異物が押されると、前記異物滑動部材１２上からカバー部材１４上に異物がスムースに移動できる。つまり、可動レール１１のスライドの邪魔にならない位置に保持される。異物滑動部材１２は短く形成できるので、ボルト３の図示しない締結工具が入りづらくなるおそれがない。
【００２３】
また、レッグカバー１３のカバー部材１４により締結具３の頭部３ａが見えないので、美観向上を図れると共に、カバー部材が可動レール１１のスライドの邪魔にならない。
【００２４】
また、前記カバー部材１４は、前記異物滑動部材１２の端部１２ａに係合されてなるので、カバー部材１４上又は異物滑動部材１２上に落ちた異物が両部材１２，１４の上をスライド可能であるばかりか、両部材１２，１４が確実に係合されてなる。
【００２５】
また、前記レッグカバー１３は、前記固定レール５に取り付けた支持部１５に爪１６により係合支持可能なるので、レッグカバー１３の爪１６を挿入するだけで、固定レール５の支持部１５に簡易に係合支持できることになる。
【図面の簡単な説明】
【図１】この発明の一実施形態に係るスライド装置を示す分解斜視図。
【図２】図１の縦断面図。
【図３】図１のレッグカバーの側面図。
【図４】図３の底面図。
【図５】図３の矢視Ａにかかる説明図。
【図６】図４のＳＢ−ＳＢ線に沿った断面図。
【図７】従来例の図１相当の分解斜視図。
【符号の説明】
１、１０  スライド装置
２  フロアパネル
３  締結具（ボルト）
３ａ  締結具の頭部
４  開口
５  固定レール
６，１２  異物落とし防止部材
１１  可動レール
１２ａ  異物滑動部材の端部
１３  レッグカバー
１４  カバー部材
１５  固定レールの支持部
１６  レッグカバーの爪
【図１】
0003880313.tif 000002
【図２】
0003880313.tif 000003
【図３】
0003880313.tif 000004
【図４】
0003880313.tif 000005
【図５】
0003880313.tif 000006
【図６】
0003880313.tif 000007
【図７】
0003880313.tif 000008